(57)【要約】【課題】閉鎖弁に接続される冷媒配管の配索経路を簡素化することができるとともに、閉鎖弁の操作ポートの操作性を向上させることができる空気調和装置の室外機を提供する。【解決手段】本発明の室外機は、ケーシング５と、このケーシング５内に配置された圧縮機１１と、ケーシング５の側面に沿って配置された熱交換器１３と、この熱交換器１３の一方の側端部３５ａに接続される液側閉鎖弁１９と、圧縮機１１の吐出側又は吸入側に接続されるガス側閉鎖弁１８と、これらガス側閉鎖弁１８及び液側閉鎖弁１９を支持する支持部材３７と、を備え、支持部材３７は、液側閉鎖弁１９をガス側閉鎖弁１８よりも熱交換器１３の前記側端部３５ａに近接するケーシング５の側壁に近づけて支持し、かつ液側閉鎖弁１９の前端に設けられた操作ポート６４をガス側閉鎖弁１８の前端に設けられた操作ポート５４よりも前方に位置させて支持する。【選択図】      図７
2013113558.tif 000002
【特許請求の範囲】
【請求項１】
ケーシング（５）と、このケーシング（５）内に配置された圧縮機（１１）と、前記ケーシング（５）の側面に沿って配置された熱交換器（１３）と、この熱交換器（１３）の一方の側端部（３５ａ）に接続される液側閉鎖弁（１９）と、前記圧縮機（１１）の吐出側又は吸入側に接続されるガス側閉鎖弁（１８）と、これらガス側閉鎖弁（１８）及び液側閉鎖弁（１９）を支持する支持部材（３７）と、を備えている室外機であって、
前記支持部材（３７）は、前記液側閉鎖弁（１９）を前記ガス側閉鎖弁（１８）よりも前記熱交換器（１３）の前記側端部（３５ａ）に近接する前記ケーシング（５）の側壁に近づけて支持し、かつ前記液側閉鎖弁（１９）の前端に設けられた操作ポート（６４）を前記ガス側閉鎖弁（１８）の前端に設けられた操作ポート（５４）よりも前方に位置させて支持していることを特徴とする空気調和装置の室外機。
【請求項２】
前記支持部材（３７）は、前記ケーシング（５）に取り付けられる取付部（８０）と、この取付部（８０）とは別体で形成されて当該取付部（８０）に連結され、前記ガス側閉鎖弁（１８）及び前記液側閉鎖弁（１９）を支持する支持部（７０）と、を有している請求項１に記載の空気調和装置の室外機。
【請求項３】
前記取付部（８０）には、前記支持部（７０）に支持された閉鎖弁（１９）に接続される冷媒配管（６５）との干渉を避ける回避凹部（８５）が形成されている、請求項２に記載の空気調和装置の室外機。
【請求項４】
空気調和装置（１）の室外機（２）に設けられたガス側閉鎖弁（１８）及び液側冷媒配管（１９）を支持する支持部材であって、
前記液側閉鎖弁（１９）の前端に設けられた操作ポート（６４）を前記ガス側閉鎖弁（１８）の前端に設けられた操作ポート（５４）よりも前方に位置させて支持する支持部（７０）を備えていることを特徴とする閉鎖弁用の支持部材。
【発明の詳細な説明】
【技術分野】
【０００１】
本発明は、空気調和装置の室外機及びこれに用いる閉鎖弁用の支持部材に関する。
【背景技術】
【０００２】
ビル等の建物や一般の住宅において利用される空気調和装置として、室内機と室外機とを備えたセパレートタイプのものが広く普及している。この空気調和装置には、室外機と室内機とにわたって冷媒回路が設けられており、室外機における冷媒回路の末端には、室内機からの冷媒配管を接続するための閉鎖弁が設けられている。この閉鎖弁は、ガス状冷媒が流れる冷媒配管を接続するためのガス側閉鎖弁と、液状冷媒が流れる冷媒配管を接続するための液側閉鎖弁とからなり、空気調和装置を設置する際に、室内機からの冷媒配管を接続したあとに閉から開へ切り替えることによって、室外機と室内機との間の冷媒の流通を可能にする。
また、下記特許文献１には、室外機における閉鎖弁の取付構造が開示されている。この閉鎖弁の取付構造は、ガス側閉鎖弁と液側閉鎖弁とをほぼ横並びの状態で支持する支持部材を備えている。
【先行技術文献】
【特許文献】
【０００３】
【特許文献１】特開２００７−１４７２４７号公報
【発明の概要】
【発明が解決しようとする課題】
【０００４】
上記特許文献１の室外機には、水平断面が矩形状のケーシングの３つの側壁に沿って平面視コの字形状に形成された熱交換器が設けられている。この熱交換器の一方の側端部には冷媒配管が接続され、他方の側端部には冷媒を流動させる伝熱管がＵ字状に折り返されている。また、液側閉鎖弁は、室外膨張弁を経て熱交換器の一方の側端部に接続されるが、ガス側閉鎖弁は、四路切換弁、アキュムレータ、圧縮機、オイルセパレータ等の多くの機器を経たのちに熱交換器の一方の側端部に接続される。
【０００５】
そして、特許文献１の室外機は、ガス側閉鎖弁が液側閉鎖弁よりも熱交換器の前記一方の側端部の近くに配置されているので、液側閉鎖弁と熱交換器の前記一方の側端部とを接続する冷媒配管と、ガス側閉鎖弁と圧縮機等を接続する冷媒配管とが交差する関係となり、冷媒配管の配索経路が複雑となっていた。
【０００６】
このような不都合を解消するため、ガス側閉鎖弁よりも液側閉鎖弁を熱交換器の前記一方の側端部の近くに配置することが考えられるが、この場合、次のような弊害がある。
すなわち、液側閉鎖弁を熱交換器の一方の側端部に近づけると、この側端部に隣接するケーシングの側壁に液側閉鎖弁が接近するため、スパナ等の工具を使用して液側閉鎖弁の先端の操作ポートを操作するときに当該側壁が邪魔になる。さらに、特許文献１の支持部材は、液側閉鎖弁とガス側閉鎖弁とをほぼ横並びの状態で支持しているが、通常、液側閉鎖弁はガス側閉鎖弁よりも小さいため、その操作ポートがガス側閉鎖弁の操作ポートよりも後退して配置される。そのため、工具を使用して液側閉鎖弁の操作ポートを操作するときに、ケーシングの側壁だけでなくガス側閉鎖弁も邪魔になり、操作性が著しく阻害される。
【０００７】
本発明は、このような実情に鑑みてなされたものであり、閉鎖弁に接続される冷媒配管の配索経路を簡素化することができるとともに、閉鎖弁の操作ポートの操作性を向上させることができる空気調和装置の室外機及び閉鎖弁用の支持部材を提供することを目的とする。
【課題を解決するための手段】
【０００８】
（１）本発明は、ケーシングと、このケーシング内に配置された圧縮機と、前記ケーシングの側面に沿って配置された熱交換器と、この熱交換器の一方の側端部に接続される液側閉鎖弁と、前記圧縮機の吐出側又は吸入側に接続されるガス側閉鎖弁と、これらガス側閉鎖弁及び液側閉鎖弁を支持する支持部材と、を備えている室外機であって、
前記支持部材は、前記液側閉鎖弁を前記ガス側閉鎖弁よりも前記熱交換器の前記側端部に近接する前記ケーシングの側壁に近づけて支持し、かつ前記液側閉鎖弁の前端に設けられた操作ポートを前記ガス側閉鎖弁の前端に設けられた操作ポートよりも前方に位置させて支持していることを特徴とする。
【０００９】
本発明の室外機によれば、液側閉鎖弁がガス側閉鎖弁よりも熱交換器の一方の側端部に近接するケーシングの側壁に近づけた状態で支持部材によって支持されるので、液側閉鎖弁と熱交換器の一方の側端部とを接続する冷媒配管と、ガス側閉鎖弁と圧縮機とを接続する冷媒配管とが交差するのを防止し、冷媒配管の配索経路を簡素化することができる。さらに、液側閉鎖弁及びガス側閉鎖弁は、液側閉鎖弁の操作ポートをガス側閉鎖弁の操作ポートよりも前方に位置させた状態で支持部材によって支持されるので、液側閉鎖弁の操作ポートを操作するときにガス側閉鎖弁が邪魔になるのを防止することができる。
【００１０】
（２）前記支持部材は、前記ケーシングに取り付けられる取付部と、この取付部とは別体で形成されて当該取付部に連結され、前記ガス側閉鎖弁及び前記液側閉鎖弁を支持する支持部と、を有していることが好ましい。
この構成によれば、支持部材の支持部が取付部とは別体で形成されるので、液側閉鎖弁の操作ポートをガス側閉鎖弁の操作ポートよりも前方に配置するという特殊な形状を支持部単独で容易に形成することが可能となる。また、取付部については異なる型式の室外機間で共用し、支持部については機種毎の機器の配置等に応じて個別に形成することができる。
【００１１】
（３）前記取付部には、前記支持部に支持された閉鎖弁に接続される冷媒配管との干渉を避ける回避凹部が形成されていることが好ましい。
この構成によれば、取付部と支持部とを別体で形成してこれらを連結したとしても、支持部に支持された閉鎖弁に対する冷媒配管の接続に支障が生じるのを防止することができる。
【００１２】
（４）本発明は、室外機に設けられたガス側閉鎖弁及び液側冷媒配管を支持する支持部材であって、
前記液側閉鎖弁の前端に設けられた操作ポートを前記ガス側閉鎖弁の前端に設けられた操作ポートよりも前方に位置させて支持する支持部を備えていることを特徴とする。
【００１３】
この構成によれば、液側閉鎖弁の操作ポートを操作するときにガス側閉鎖弁が邪魔になるのを防止することができる。
【発明の効果】
【００１４】
本発明によれば、閉鎖弁に接続される冷媒配管の配索経路を簡素化することができるとともに、液側閉鎖弁の操作ポートの操作性を向上させることができる。
【図面の簡単な説明】
【００１５】
【図１】本発明の一実施の形態に係る室外機を有する空気調和装置の冷媒回路を示す模式図である。
【図２】室外機の外観を示す斜視図である。
【図３】室外機の側面パネル及び天板を取り外した状態を示す概略的な正面図である。
【図４】室外機の内部の平面図である。
【図５】閉鎖弁用の支持部材を示す分解斜視図である。
【図６】支持部材の上部を示す正面図である。
【図７】支持部材の平面図である。
【図８】ガス側閉鎖弁を示す側面図である。
【図９】液側閉鎖弁を示す側面図である。
【発明を実施するための形態】
【００１６】
図１は、本発明の一実施の形態に係る室外機を有する空気調和装置の冷媒回路を示す模式図である。
空気調和装置１は、例えばビル用のマルチタイプの空気調和装置であり、１つ又は複数の室外機２に対して複数の室内機３が並列に接続され、これらの間で冷媒を流通することができるように、冷媒回路１０が形成されている。
【００１７】
室外機２には、圧縮機１１、四路切換弁１２、室外熱交換器１３、室外膨張弁１４、アキュムレータ２０、オイルセパレータ２１等が設けられ、これらは冷媒配管によって接続されている。また、室外機２には、送風ファン２３が設けられている。室内機３には、室内膨張弁１５および室内熱交換器１６等が設けられている。四路切換弁１２と室内熱交換器１６とはガス側冷媒連絡配管１７ａにより接続され、室外膨張弁１４と室内膨張弁１５とは液側冷媒連絡配管１７ｂにより接続されている。室外機２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００１８】
上記構成の空気調和装置１において、冷房運転を行う場合には、四路切換弁１２が図１において実線で示す状態に保持される。圧縮機１１から吐出された高温高圧のガス状冷媒は、オイルセパレータ２１及び四路切換弁１２を経て室外熱交換器１３に流入し、送風ファン２３の作動により室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内に吹き出され、当該室内を冷房する。また、室内熱交換器１６で蒸発して気化した冷媒は、ガス側冷媒連絡配管１７ａを通って室外機２に戻り、四路切換弁１２及びアキュムレータ２０を経て圧縮機１１に吸い込まれる。
【００１９】
他方、暖房運転を行う場合には、四路切換弁１２が図１において破線で示す状態に保持される。圧縮機１１から吐出された高温高圧のガス状冷媒は、オイルセパレータ２１及び四路切換弁１２を経て各室内機３の室内熱交換器１６に流入し、室内空気と熱交換して凝縮・液化する。冷媒の凝縮によって加熱された室内空気は、室内ファンによって室内に吹き出され、当該室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２及びアキュムレータ２０を経て圧縮機１１に吸い込まれる。
【００２０】
図２は、室外機の外観を示す斜視図、図３は、室外機の側面パネル及び天板を取り外した状態を示す概略的な正面図である。また、図４は、室外機の内部の平面図である。
本実施の形態の室外機２は、所謂、上吹き出しタイプの室外機とされており、室外機本体（ケーシング）５と、この室外機本体５に内蔵された室外熱交換器１３、圧縮機１１、四路切換弁１２、アキュムレータ２０、オイルセパレータ２１等の冷媒回路１０（図１参照）を構成する機器と、電装品ユニット３８と、室外機本体５の上部に設けられた送風ファン２３等を備えている。
【００２１】
そして、室外機２は、送風ファン２３の駆動によって室外機本体５の側面から空気を吸い込み、室外熱交換器１３との間で熱交換を行った後に室外機本体５の上部から上方へ空気を吹き出すように構成されている。
【００２２】
図２及び図３に示されるように、室外機本体５は、略直方体形状に形成されており、底フレーム２６、支柱２７、梁部材２８、下側面パネル２９Ａ，２９Ｂ、上側面パネル２５、天板２４等を有している。底フレーム２６は、平面視で四角形状に形成されている。また、底フレーム２６の前後２辺には、地面に接地する脚部２６ａが設けられている。支柱２７は、断面形状が略Ｌ字状で上下方向に長い長尺部材からなり、底フレーム２６の４隅にボルト等によって取り付けられている。
【００２３】
図２に示されるように、天板２４は、底フレーム２６と略同一の平面視で四角形状に形成され、底フレーム２６の上方に間隔をあけて配置されている。天板２４の四隅には、各支柱２７の上端がボルト等の連結具によって連結されている。天板２４には、略四角形状の通風口２４ａが形成されており、この通風口２４ａには異物の侵入を防止するための網体２４ｂが設けられている。
【００２４】
図３に示されるように、梁部材２８は、支柱２７の上部側であって、天板２４（図２参照）から下方に所定の間隔をあけた位置に配置され、前後左右に隣接する支柱２７の間に架設されている。そして、室外機本体５は、底フレーム２６、天板２４、支柱２７、梁部材２８等からなる構造部材によって骨格が形成されている。
梁部材２８には、ベルマウス３０が取り付けられている。このベルマウス３０は、送風ファン２３の外周部を囲う円筒形状の通風ガイド（通風部材）３０ａを有している。
【００２５】
図２に示されるように、梁部材２８と天板２４との間に位置する室外機本体５の４つの側面には上側面パネル２５が設けられている。図３に示される送風ファン２３、ベルマウス３０、及び電装品ユニット３８の上部は、上側面パネル２５や天板２４によって覆われることで、外部に露出しないように構成されている。
【００２６】
図４に示されるように、室外機本体５の底フレーム２６の上面には、室外熱交換器１３、圧縮機１１、アキュムレータ２０、オイルセパレータ２１、四路切換弁１２等の機器が搭載されている。室外熱交換器１３は、クロスフィンコイル式であり、アルミニウム製の多数のフィンを伝熱管が水平に貫通し、伝熱管を流れる冷媒と室外熱交換器１３を流通する空気との間で熱交換を行うように構成されている。
【００２７】
室外熱交換器１３は、室外機本体５の１つの角部（左前側の角部）５Ａを除く範囲で４つの側面に対向（対応）し、かつ４つの側面に沿って略四角形状に屈曲されている。具体的に、室外熱交換器１３は、室外機本体５の前側の側面（前面）に沿う前熱交換部３２と、右側の側面に沿う右熱交換部３３と、後側の側面（後面）に沿う後熱交換部３４と、左側の側面に沿う左熱交換部３５とを有している。そして、前熱交換部３２と右熱交換部３３との間、右熱交換部３３と後熱交換部３４との間、及び後熱交換部３４と左熱交換部３５との間が略９０度に屈曲されている。なお、室外熱交換器１３の各熱交換部３２〜３５は、室外機本体５の側面に対して必ずしも平行に対向していなくてもよく、傾斜した状態で対向していてもよい。また、本明細書において、室外機本体５の側面とは、外部に向いた実体的な側面、例えば、前述の上側面パネル２５や後述する下側面パネル２９Ａ，２９Ｂ、室外熱交換器１３の外側面を覆う格子状の枠やパネルによって規定されるものであってもよいし、このような側面パネル２５，２９Ａ，２９Ｂ等を備えていない場合には、底フレーム２６の４辺をそのまま上方に延長した仮想の面によって規定されてもよい。
【００２８】
図４に示されるように、前熱交換部３２の左側端部３２ａと、左熱交換部３５の前側端部３５ａとの間は、開口部３６とされている。本実施の形態では、開口部３６が、左前側に配置された支柱２７によって２つに分けられており、以下の説明においては、室外機２の前面に配置された開口部３６を前開口部３６Ａといい、左側面に配置された開口部３６を左開口部３６Ｂという。
【００２９】
また、室外機本体５は、室外熱交換器１３の一の側端部３２ａと支柱２７との間、及びこの支柱２７と室外熱交換器１３の他の側端部３５ａとの間に、それぞれ下側面パネル（側壁）２９Ａ，２９Ｂを着脱可能に備えており（図２参照）、この下側面パネル２９Ａ，２９Ｂによって前開口部３６Ａ及び左開口部３６Ｂがそれぞれ閉鎖されている。なお、図示はしていないが、室外機本体５の側面における室外熱交換器１３が配置された部分には、空気の流通が可能な格子状の枠やパネルが取り付けられていてもよい。
【００３０】
図４に示されるように、閉鎖弁１８，１９は、室外機本体５の前開口部３６Ａに向くように支持部材３７を介して支持されている。また、圧縮機１１は、前開口部３６Ａの右側寄りに配置され、前開口部３６Ａを介して前方から略全体を視認できる位置に配置される。また、底フレーム２６上のアキュムレータ２０やオイルセパレータ２１は室外機本体５内の後部側に配置されている。
【００３１】
図３に示されるように、電装品ユニット３８は、室外機２全体を制御するための制御基板、圧縮機１１や送風ファン２３を駆動するための駆動基板（インバータ基板）、リアクタ、端子台等の電気部品と、これら電気部品を収容する電装品箱とを備えている。また、電装品ユニット３８は、上下方向に細長く形成されるとともに、室外機本体５における１つの角部５Ａ、すなわち、室外熱交換器１３が配置されていない室外機本体５の角部５Ａに対応して配置され、梁部材２８を上下方向に跨いでいる。この電装品ユニット３８の下方に支持部材３７によって支持された閉鎖弁１８，１９が配置されている。
【００３２】
図８は、ガス側閉鎖弁を示す側面図であり、図９は、液側閉鎖弁を示す側面図である。
図８に示されるように、ガス側閉鎖弁１８は、略十字形状の流路が形成されたハウジング５０を有している。このハウジング５０の上部にはサービスポート５１が形成されている。サービスポート５１は、冷媒の封入や真空引き等を行うために使用される。ハウジング５０の下部には、室内機３側からのガス側冷媒連絡配管１７ａ（図１参照）を接続させる接続配管５２が下方に延伸して設けられている。ハウジング５０の後端には四路切換弁１２を介して圧縮機１１に繋がる冷媒配管５５が接続されている。また、ハウジング５０の後部には支持部材３７に対してガス側閉鎖弁１８を固定するためのフランジ部５３が設けられている。ハウジング５０の前端には、ガス側閉鎖弁１８を開閉操作するための操作ポート５４が設けられている。この操作ポート５４は、ガス側閉鎖弁１８の軸線（操作ポート５４の中心線）Ｘ１に沿って移動可能な弁体５４ａと、この弁体５４ａの操作端（前端）を塞ぐ着脱可能なナット型のキャップ５４ｂとを備えている。なお、ガス側閉鎖弁１８は、その軸線Ｘ１が室外機本体５の前後方向に沿うように配置されている。
【００３３】
図９に示されるように、液側閉鎖弁１９もガス側閉鎖弁１８と略同一構成のハウジング６０、サービスポート６１、接続配管６２、フランジ部６３、操作ポート６４を有している。また、操作ポート６４は、液側閉鎖弁１９の軸線（操作ポート６４の中心線）Ｘ２に沿って移動可能な弁体６４ａと、この弁体６４ａの操作端（前端）を塞ぐ着脱可能なナット型のキャップ６４ｂとを備えている。ただし、液側閉鎖弁１９は、ガス側閉鎖弁１８よりも小型であり、特に、フランジ部６３から操作ポート６４の先端までの前後方向の長さＬ２が、ガス側閉鎖弁１８のフランジ部５３から操作ポート５４の先端までの前後方向の長さＬ１（図８参照）よりも小さくなっている。液側閉鎖弁１９のハウジング６０の後端には、室外膨張弁１４を介して室外熱交換器１３に繋がる冷媒配管６５が接続されている。なお、液側閉鎖弁１９は、その軸線Ｘ２が室外機本体５の前後方向に沿うように配置されており、ガス側閉鎖弁１８の軸線Ｘ１に対して平行に配置されている。
【００３４】
図４に示されるように、ガス側閉鎖弁１８及び液側閉鎖弁１９を支持する支持部材３７は、室外機本体５の前面に設けられた下側面パネル２９Ａのやや後側に配置され、ガス側閉鎖弁１８及び液側閉鎖弁１９を室外機本体５の正面に向けた状態で支持している。従って、下側面パネル２９Ａを取り外すことによって前開口部３６Ａからガス側閉鎖弁１８及び液側閉鎖弁１９の前端の操作ポート５４，６４を操作することが可能となっている。
【００３５】
また、支持部材３７は、室外機本体５の左側面に設けられた下側面パネル２９Ｂの近傍に配置されている。この左側の下側面パネル２９Ｂは、室外熱交換器１３の一方の側端部（左熱交換部３５の前端部）３５ａに近接して配置されている。そして、支持部材３７は、液側閉鎖弁１９を左側に、ガス側閉鎖弁１８を右側に配置した状態でこれらを並べて支持している。したがって、液側閉鎖弁１９は、ガス側閉鎖弁１８よりも室外熱交換器１３の一方の側端部３５ａ及び左側の下側面パネル２９Ｂの近くに配置される。
【００３６】
ここで、図４に点線矢印ａ，ｂで示すように、液側閉鎖弁１９は、室外熱交換器１３の一方の側端部３５ａに対して室外膨張弁１４（図１参照）を介してほぼ直接的に冷媒配管６５によって接続されるが、ガス側閉鎖弁１８は、室外熱交換器１３の一方の側端部３５ａに直接的に接続されず、冷媒配管５５によって四路切換弁１２を介して圧縮機１１に接続される。そのため、冷媒配管５５と冷媒配管６５とが交差した関係にならず、これら冷媒配管５５，６５の配索経路を簡素化することが可能となっている。
【００３７】
図５は、閉鎖弁用の支持部材を示す分解斜視図、図６は、支持部材の上部を示す正面図、図７は、支持部材の平面図である。
支持部材３７は、支持部７０と取付部８０とを備えており、これらは別部材によって構成され、互いに連結されることによって一体化されている。支持部７０及び取付部８０ともに、金属製の板材を折曲加工することによって構成されている。
【００３８】
取付部８０は、室外機本体５の底フレーム２６の固定される固定板８１と、固定板８１の前端から上方へ立ち上がる取付板８２とからなる。取付板８２は、室外機本体５の前面に対して概ね平行に配置され、その上部８２ａ側が下部８２ｂ側よりも前方へ張り出した形状となっている。支持部材３７の上部８２ａと下部８２ｂとの間には前斜め上方へ向けて傾斜する傾斜部８２ｃが設けられている。また、取付板８２の外周には、縁部８３が後方へ折曲して設けられている。取付板８２の上部８２ａの左右両側に配置された縁部８３には、雌ねじ孔８４が形成されている。また、取付板８２のやや左側には、上端から下方へ延びる回避凹部８５が形成されている。この回避凹部８５について後述する。
【００３９】
支持部材３７の支持部７０は、ガス側閉鎖弁１８を支持するためのガス側支持板７１と、液側閉鎖弁１９を支持するための液側支持板７２とを一体に備えている。ガス側支持板７１は、室外機本体５の前面に対して平行に配置される板材からなり、ガス側閉鎖弁１８を配置するための配置凹部７１ａが上端から下方に向けて形成されている。配置凹部７１ａの両側には、雌ねじ孔７１ｂが形成されている。
【００４０】
液側支持板７２も、室外機本体５の前面に対して平行に配置される板材からなり、液側閉鎖弁１９を配置するための配置凹部７２ａが上端から下方に向けて形成されている。この配置凹部７２ａの左右両側にも、雌ねじ孔７２ｂが形成されている。
液側支持板７２は、ガス側支持板７１よりも前側に配置されており、両者の間には前後方向に沿って配置された連結板７３が設けられている。また、ガス側支持板７１の右端部、及び液側支持板７２の左端部には、後方へ折曲された取付板７４が設けられている。この取付板７４の下部には、ボルト挿通孔７５が形成され、このボルト挿通孔７５に挿通されたボルト９０（図６参照）を取付部８０の雌ねじ孔８４に螺合することによって、支持部７０が取付部８０に連結される。
【００４１】
図６及び図７に示されるように、ガス側閉鎖弁１８は、ハウジング５０の後部がガス側支持板７１の配置凹部７１ａ内に配置され、フランジ部５３が雌ねじ孔７１ｂに螺合された取付ボルト９１によってガス側支持板７１に固定される。同様に、液側閉鎖弁１９は、ハウジング６０の後部が液側支持板７２の配置凹部７２ａ内に配置され、フランジ部６３が雌ねじ孔７２ｂに螺合される取付ボルト９１によって液側支持板７２に固定される。
【００４２】
そして、図７に示されるように、液側閉鎖弁１９は、フランジ部６３から操作ポート６４の前端までの長さＬ２が、ガス側閉鎖弁１８のフランジ部５３から操作ポート５４の前端までの長さＬ１よりも長く形成されているが、液側支持板７２がガス側支持板７１よりも前側に配置されているため、液側閉鎖弁１９の操作ポート６４がガス側閉鎖弁１８の操作ポート５４よりも寸法Ｌ３だけ前側に配置されている。そのため、スパナ等の工具を用いて液側閉鎖弁１９の操作ポート６４を操作する際に、ガス側閉鎖弁１８が邪魔になることはなく、その操作性を確保することができる。
【００４３】
すなわち、上述したように、液側閉鎖弁１９は、ガス側閉鎖弁１８よりも室外熱交換器１３の一方の側端部３５ａ（図４参照）に近接する下側面パネル（側壁）２９Ｂの近くに配置されることによって、液側閉鎖弁１９と当該側端部３５ａとを接続する冷媒配管６５と、ガス側閉鎖弁１８と圧縮機１１等を接続する冷媒配管５５とが交差するのを防止し、冷媒配管５５，６５の配索経路の簡素化を可能にしているが、液側閉鎖弁１９の左側に下側面パネル２９Ｂが接近しているので、液側閉鎖弁１９の操作ポート６４を操作する際に下側面パネル２９Ｂが邪魔になる可能性がある。しかしながら、液側閉鎖弁１９の操作ポート６４は、ガス側閉鎖弁１８の操作ポート５４よりも前側に配置され、これによって液側閉鎖弁１９の操作ポート６４の右側が開放されているので、その操作性を十分に確保することができる。
【００４４】
一方、ガス側閉鎖弁１８の操作ポート５４は、液側閉鎖弁１９の操作ポート６４よりも後退しているが、下側面パネル２９Ｂから離れており、かつ液側閉鎖弁１９の右側は開放されているため、当該操作ポート５４の操作性も十分に確保することができる。
また、図６に示されるように、液側閉鎖弁１９は、ガス側閉鎖弁１８よりもやや上側へずれた位置に配置されており、これによって液側閉鎖弁１９の操作ポート６４をより操作し易くすることができる。
【００４５】
支持部材３７は、支持部７０と取付部８０との２部材から構成されているので、液側閉鎖弁１９の操作ポート６４をガス側閉鎖弁１８の操作ポート５４よりも前側に配置するという特殊な支持構造を支持部７０のみによって実現することができ、取付部８０は、底フレーム２６への固定と支持部７０との連結のみを考慮した構造とすればよい。そのため、取付部８０については、他の型式の室外機との間で部品を容易に共用することができ、支持部７０のみを室外機の型式毎に適切な形状に形成することが可能となる。
【００４６】
また、図９に示されるように、支持部７０の液側支持板７２は、取付部８０の取付板８２よりも前側に突出して配置されているため、液側閉鎖弁１９の後端に接続される冷媒配管６５が取付板８２に干渉するおそれがあるが、取付部８０の取付板８２には回避凹部８５が形成されているので、冷媒配管６５と取付板８２との干渉を好適に防止することができる。
【００４７】
本発明は、上記各実施の形態に限定されるものではなく、特許請求の範囲に記載された発明の範囲内において、適宜変更することが可能である。
例えば、上記実施の形態においては、支持部材３７が、室外機本体５の前面（前側の下側面パネル２９Ａ）に対して平行に配置されていたが、右側又は左側に若干傾斜した状態で配置されていてもよい。この場合、液側閉鎖弁１９の操作ポート６４は、その軸線Ｘ２に沿った方向を前後方向としてガス側閉鎖弁１８の操作ポート５４よりも前側に位置していればよい。
【００４８】
上記実施形態では、室外熱交換１３が、室外機本体５の４つの側面に沿うように形成されていたが、室外機本体５の３つの側面に沿ってコの字形状に形成されていてもよい。また、本発明は、四路切換弁を備えていない冷房専用又は暖房専用の空気調和装置の室外機にも適用することができる。
【符号の説明】
【００４９】
１  空気調和装置
２  室外機
５  室外機本体（ケーシング）
１１  圧縮機
１３  室外熱交換器
１８  ガス側閉鎖弁
１９  液側閉鎖弁
３５ａ  熱交換器の一方の側端部
３７  支持部材
５４  操作ポート
６４  操作ポート
６５  冷媒配管
７０  支持部
８０  支持部
８５  回避凹部
【図１】
2013113558.tif 000003
【図２】
2013113558.tif 000004
【図３】
2013113558.tif 000005
【図４】
2013113558.tif 000006
【図５】
2013113558.tif 000007
【図６】
2013113558.tif 000008
【図７】
2013113558.tif 000009
【図８】
2013113558.tif 000010
【図９】
2013113558.tif 000011